(57)【特許請求の範囲】
【請求項１】
交流電源から入力される交流電流を整流する整流手段と、
前記整流手段の出力端子間に接続される電解コンデンサと、
前記整流手段により生成された直流電流が供給されることにより、エレベーターのかご内を照明するＬＥＤと、
前記ＬＥＤに供給される前記直流電流を導通遮断するスイッチング素子と、
前記スイッチング素子のオンオフを制御する制御装置と、
前記エレベーターが所定の時間連続して停止していることを検出する停止時間検出手段と
を備え、
前記制御装置は、前記スイッチング素子のオンオフを制御する制御装置本体と、前記直流電流から所定の電圧を発生させるレギュレータと、一端部が前記レギュレータに接続された抵抗器と、前記抵抗器の他端部に接続され前記抵抗器を介して前記レギュレータの電圧が入力され、かつ、前記ＬＥＤに流れる電流に対応して増減する電圧が入力され、前記ＬＥＤに流れる電流に対応して増減する電圧が前記レギュレータの電圧に達する場合に前記スイッチング素子をオフする信号を前記制御装置本体に送るコンパレータと、前記抵抗器の他端部に接続され、前記停止時間検出手段から信号が入力される入力信号端子とを有し、
前記停止時間検出手段は、前記停止時間検出手段の検出結果に基づいて、前記入力信号端子に、ゼロ電圧を入力し、
前記コンパレータおよび前記制御装置本体は、前記入力信号端子に前記ゼロ電圧が入力された場合に、前記ＬＥＤに流れる電流に対応して増減する電圧がゼロとなるように動作することを特徴とするエレベーターかご内照明装置。
【請求項２】
交流電源から入力される交流電流を整流する整流手段と、
前記整流手段の出力端子間に接続される電解コンデンサと、
前記整流手段により生成された直流電流が供給されることにより、エレベーターのかご内を照明するＬＥＤと、
前記ＬＥＤに供給される前記直流電流を導通遮断するスイッチング素子と、
前記スイッチング素子のオンオフを制御する制御装置と、
前記エレベーターが所定の時間連続して停止していることを検出する停止時間検出手段と
を備え、
前記制御装置は、前記スイッチング素子のオンオフを制御する制御装置本体と、前記停止時間検出手段から信号が入力される入力信号端子と、前記制御装置本体からの制御信号が入力され、前記入力信号端子を介して前記停止時間検出手段からの信号が入力されるアンド回路とを有し、
前記停止時間検出手段は、前記停止時間検出手段の検出結果に基づいて、前記入力信号端子をＧＮＤに短絡し、
前記アンド回路は、前記入力信号端子がＧＮＤに短絡された場合に、前記制御装置本体から前記スイッチング素子への出力を遮断することにより、前記スイッチング素子をオフすることを特徴とするエレベーターかご内照明装置。
【請求項３】
交流電源から入力される交流電流を整流する整流工程と、
前記整流工程により生成された直流電流を、電解コンデンサを用いて平滑化する平滑工程と、
前記平滑工程により平滑化された前記直流電流を、エレベーターのかご内を照明するＬＥＤに供給する直流電流供給工程と、
前記エレベーターが所定の時間連続して停止していることを検出する停止時間検出工程と、
前記停止時間検出工程の検出結果に基づいて、前記ＬＥＤに供給される前記直流電流を導通遮断するスイッチング素子をオフにすることにより、前記ＬＥＤへの前記直流電流の供給を停止させる直流電流供給停止工程と
を備え、
前記スイッチング素子のオンオフを制御して入力信号の大きさに応じて前記ＬＥＤに流れる電流を制御する制御装置は、前記スイッチング素子のオンオフを制御する制御装置本体と、前記直流電流から所定の電圧を発生させるレギュレータと、一端部が前記レギュレータに接続された抵抗器と、前記抵抗器の他端部に接続され前記抵抗器を介して前記レギュレータの電圧が入力され、かつ、前記ＬＥＤに流れる電流に対応して増減する電圧が入力され、前記ＬＥＤに流れる電流に対応して増減する電圧が前記レギュレータの電圧に達する場合に前記スイッチング素子をオフする信号を前記制御装置本体に送るコンパレータと、前記抵抗器の他端部に接続され、前記停止時間検出工程の検出結果に基づいて、ゼロ電圧が入力される入力信号端子とを有し、
前記直流電流供給停止工程では、前記入力信号端子に前記ゼロ電圧が入力されることによって、前記ＬＥＤに流れる電流に対応して増減する電圧がゼロとなるように前記コンパレータおよび前記制御装置本体が動作して、前記ＬＥＤへの前記直流電流の供給を停止させることを特徴とするエレベーターかご内照明方法。
【請求項４】
交流電源から入力される交流電流を整流する整流工程と、
前記整流工程により生成された直流電流を、電解コンデンサを用いて平滑化する平滑工程と、
前記平滑工程により平滑化された前記直流電流を、エレベーターのかご内を照明するＬＥＤに供給する直流電流供給工程と、
前記エレベーターが所定の時間連続して停止していることを検出する停止時間検出工程と、
前記停止時間検出工程の検出結果に基づいて、前記ＬＥＤに供給される前記直流電流を導通遮断するスイッチング素子をオフにすることにより、前記ＬＥＤへの前記直流電流の供給を停止させる直流電流供給停止工程と
を備え、
前記スイッチング素子のオンオフを制御して入力信号の大きさに応じて前記ＬＥＤに流れる電流を制御する制御装置は、前記スイッチング素子のオンオフを制御する制御装置本体と、前記停止時間検出工程の検出結果に基づいて、ＧＮＤに短絡される入力信号端子と、前記制御装置本体からの制御信号が入力され、前記入力信号端子を介してＧＮＤに短絡され、前記制御装置本体の制御信号を前記スイッチング素子へ出力するアンド回路とを有し、
前記直流電流供給停止工程では、前記入力信号端子がＧＮＤに短絡され、前記アンド回路が前記入力信号端子を介してＧＮＤに短絡されて前記スイッチング素子への出力を遮断することにより、前記スイッチング素子をオフすることを特徴とするエレベーターかご内照明方法。
【発明の詳細な説明】
【技術分野】
【０００１】
この発明は、エレベーターのかご内を照明するエレベーターかご内照明装置およびエレベーターかご内照明方法に関する。
【背景技術】
【０００２】
従来、交流電源から入力される交流電流を整流して直流電流を生成する整流装置と、整流装置の出力端子間に接続された平滑用の電解コンデンサと、整流装置により生成された直流電流が供給されることにより点灯するＬＥＤと、ＬＥＤに供給される直流電流が流れる回路上に設けられ、その回路を開閉するＭＯＳＦＥＴ（Ｍｅｔａｌ−Ｏｘｉｄｅ‐Ｓｅｍｉｃｏｎｄｕｃｔｏｒ  Ｆｉｅｌｄ−Ｅｆｆｅｃｔ  Ｔｒａｎｓｉｓｔｏｒ）と、ＭＯＳＦＥＴのオンオフを制御する制御装置とを備えた照明装置が知られている（例えば、特許文献１参照）。
【先行技術文献】
【特許文献】
【０００３】
【特許文献１】特許第４６３０９３０号公報
【発明の概要】
【発明が解決しようとする課題】
【０００４】
しかしながら、従来の照明装置をそのままエレベーターのかごに取り付ける場合には、交流電源と照明装置との間に、回路を開閉するコンタクタの接点を設け、さらに、エレベーターが所定の時間連続して停止している場合に、コンタクタの接点を開放して、かご内の照明を自動消灯させる。次に、かご内の照明が再び点灯するたびに、コンタクタの接点が閉成され、照明装置内の電解コンデンサに突入電流が流れる。その結果、電解コンデンサの劣化が早くなるので、エレベーターが停止してから照明を自動消灯するまでの時間を短くして省エネルギー効果を高めることができないという問題点があった。
【０００５】
この発明は、エレベーターが停止してから自動消灯するまでの時間を短くして、かご内照明の点灯時間を短縮し、省エネルギー効果を高めることができるエレベーターかご内照明装置およびエレベーターかご内照明方法を提供するものである。
【課題を解決するための手段】
【０００６】
この発明に係るエレベーターかご内照明装置は、交流電源から入力される交流電流を整流する整流手段と、前記整流手段の出力端子間に接続される電解コンデンサと、前記整流手段により生成された直流電流が供給されることにより、エレベーターのかご内を照明するＬＥＤと、前記ＬＥＤに供給される前記直流電流を導通遮断するスイッチング素子と、前記スイッチング素子のオンオフを制御する制御装置と、前記エレベーターが所定の時間連続して停止していることを検出する停止時間検出手段とを備え、前記制御装置は、前記スイッチング素子のオンオフを制御する制御装置本体と、前記直流電流から所定の電圧を発生させるレギュレータと、一端部が前記レギュレータに接続された抵抗器と、前記抵抗器の他端部に接続され前記抵抗器を介して前記レギュレータの電圧が入力され、かつ、前記ＬＥＤに流れる電流に対応して増減する電圧が入力され、前記ＬＥＤに流れる電流に対応して増減する電圧が前記レギュレータの電圧に達する場合に前記スイッチング素子をオフする信号を前記制御装置本体に送るコンパレータと、前記抵抗器の他端部に接続され、前記停止時間検出手段から信号が入力される入力信号端子とを有し、前記停止時間検出手段は、前記停止時間検出手段の検出結果に基づいて、前記入力信号端子に、ゼロ電圧を入力し、前記コンパレータおよび前記制御装置本体は、前記入力信号端子に前記ゼロ電圧が入力された場合に、前記ＬＥＤに流れる電流に対応して増減する電圧がゼロとなるように動作する。
【０００７】
この発明に係るエレベーターかご内照明方法は、交流電源から入力される交流電流を整流する整流工程と、前記整流工程により生成された直流電流を、電解コンデンサを用いて平滑化する平滑工程と、前記平滑工程により平滑化された前記直流電流を、エレベーターのかご内を照明するＬＥＤに供給する直流電流供給工程と、前記エレベーターが所定の時間連続して停止していることを検出する停止時間検出工程と、前記停止時間検出工程の検出結果に基づいて、前記ＬＥＤに供給される前記直流電流を導通遮断するスイッチング素子をオフにすることにより、前記ＬＥＤへの前記直流電流の供給を停止させる直流電流供給停止工程とを備え、前記スイッチング素子のオンオフを制御して入力信号の大きさに応じて前記ＬＥＤに流れる電流を制御する制御装置は、前記スイッチング素子のオンオフを制御する制御装置本体と、前記直流電流から所定の電圧を発生させるレギュレータと、一端部が前記レギュレータに接続された抵抗器と、前記抵抗器の他端部に接続され前記抵抗器を介して前記レギュレータの電圧が入力され、かつ、前記ＬＥＤに流れる電流に対応して増減する電圧が入力され、前記ＬＥＤに流れる電流に対応して増減する電圧が前記レギュレータの電圧に達する場合に前記スイッチング素子をオフする信号を前記制御装置本体に送るコンパレータと、前記抵抗器の他端部に接続され、前記停止時間検出工程の検出結果に基づいて、ゼロ電圧が入力される入力信号端子とを有し、前記直流電流供給停止工程では、前記入力信号端子に前記ゼロ電圧が入力されることによって、前記ＬＥＤに流れる電流に対応して増減する電圧がゼロとなるように前記コンパレータおよび前記制御装置本体が動作して、前記ＬＥＤへの前記直流電流の供給を停止させる。
【発明の効果】
【０００８】
この発明に係るエレベーターかご内照明装置によれば、交流電源から入力される交流電流を整流する整流手段と、整流手段の出力端子間に接続される電解コンデンサと、整流手段により生成された直流電流が供給されることにより、エレベーターのかご内を照明するＬＥＤと、ＬＥＤに供給される直流電流を導通遮断するスイッチング素子と、スイッチング素子のオンオフを制御する制御装置と、エレベーターが所定の時間連続して停止していることを検出する停止時間検出手段とを備え、制御装置は、停止時間検出手段の検出結果に基づいて、スイッチング素子をオフにして、ＬＥＤへの直流電流の供給を停止させかご内照明を消灯するので、整流手段の出力端子間に接続される電解コンデンサは、ＬＥＤの状態が点灯状態であるか消灯状態であるかに関わり無く、電圧が印加された状態となる。これにより、ＬＥＤの状態が消灯状態から点灯状態に切り替わるときに、突入電流が電解コンデンサに流れることを防止することができ、電解コンデンサの劣化が抑制される。その結果、エレベーターが停止していることを停止時間検出手段が検出するための所定の時間を短縮することができ、エレベーターが停止してからエレベーターかご内照明が自動消灯するまでの時間を短くして、かご内照明の点灯時間を短縮し、省エネルギー効果を高めることができる。
【０００９】
この発明に係るエレベーターかご内照明方法によれば、交流電源から入力される交流電流を整流する整流工程と、整流工程により生成された直流電流を、電解コンデンサを用いて平滑化する平滑工程と、平滑工程により平滑化された直流電流を、エレベーターのかご内を照明するＬＥＤに供給する直流電流供給工程と、エレベーターが所定の時間連続して停止していることを検出する停止時間検出工程と、停止時間検出工程の検出結果に基づいて、ＬＥＤに供給される直流電流を導通遮断するスイッチング素子をオフにすることにより、ＬＥＤへの直流電流の供給を停止させる直流電流供給停止工程とを備えているので、直流電流を平滑化する電解コンデンサは、ＬＥＤの状態が点灯状態であるか消灯状態であるかに関わりなく、電圧が印加された状態となる。これにより、ＬＥＤの状態が消灯状態から点灯状態に切り替わるときに、突入電流が電解コンデンサに流れることを防止することができ、電解コンデンサの劣化が抑制される。その結果、エレベーターが停止していることを停止時間検出工程で検出するための所定の時間を短縮することができ、エレベーターが停止してからエレベーターかご内照明を自動消灯するまでの時間を短くして、かご内照明の点灯時間を短縮し、省エネルギー効果を高めることができる。
【図面の簡単な説明】
【００１０】
【図１】この発明の実施の形態１に係るエレベーターかご内照明装置を示す構成図である。
【図２】図１のＰＷＭスイッチング方式インバータ装置を示す構成図である。
【図３】この発明の実施の形態２に係るエレベーターかご内照明装置のＰＷＭスイッチング方式インバータ装置を示す構成図である。
【発明を実施するための形態】
【００１１】
以下、この発明の各実施の形態を図に基づいて説明するが、各図において、同一または相当の部材、部位については、同一符号を付して説明する。
【００１２】
実施の形態１．
図１はこの発明の実施の形態１に係るエレベーターかご内照明装置を示す構成図である。図において、エレベーターかご内照明装置は、かご（図示せず）に設けられている。エレベーターかご内照明装置は、交流電源１と、交流電源１から入力される交流電流を整流する整流装置２と、整流装置２により生成された直流電流が供給されることにより、かご内を照明するＬＥＤ（Ｌｉｇｈｔ  Ｅｍｉｔｔｉｎｇ  Ｄｉｏｄｅ）３と、整流装置２により生成された直流電流をＬＥＤ３に供給するＰＷＭ（Ｐｕｌｓｅ  Ｗｉｄｔｈ  Ｍｏｄｕｌａｔｉｏｎ）スイッチング方式インバータ装置４と、エレベーターが所定の時間連続して停止している場合にＬＥＤ３を消灯させる自動消灯装置５とを備えている。
【００１３】
整流装置２は、交流電源１から入力される交流電流を整流する全波ブリッジ整流回路（整流手段）２１と、交流電源１と全波ブリッジ整流回路２１との間に直列に接続された抵抗器２２と、全波ブリッジ整流回路２１の出力端子間に接続された電解コンデンサ２３とを有している。全波ブリッジ整流回路２１は、４個のダイオードから構成されている。抵抗器２２は、電解コンデンサ２３に流れる突入電流を抑制する。また、抵抗器２２は、電解コンデンサ２３に充電される時間を調節する。これにより、ＬＥＤ３に供給される電力の力率を向上させることもできる。電解コンデンサ２３は、全波ブリッジ整流回路２１により整流された直流電流を平滑化する。
【００１４】
ＬＥＤ３は、３個設けられている。各ＬＥＤ３は、直列に接続されている。なお、ＬＥＤ３の数は、３個に限らず、何個であってもよい。
【００１５】
ＰＷＭスイッチング方式インバータ装置４は、ＬＥＤ３に供給される直流電流が流れる回路上に設けられＬＥＤ３に供給される直流電流が流れる回路を開閉するＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）（スイッチング素子）４１と、ＭＯＳＦＥＴ４１のオンオフを制御するドライバＩＣ（Ｉｎｔｅｇｒａｔｅｄ  Ｃｉｒｃｕｉｔ）（制御装置）４２と、ＬＥＤ３に供給される直流電流が流れる回路が開いた場合に、ＬＥＤ３に流れている電流を還流し、ＭＯＳＦＥＴ４１に過電圧が印加されることを防ぐダイオード４３と、ＬＥＤ３とＭＯＳＦＥＴ４１との間に直列に接続されたインダクタ４４と、ＭＯＳＦＥＴ４１とＧＮＤとの間に直列に接続された抵抗器４５とを有している。ＭＯＳＦＥＴ４１がオンオフを繰り返すことにより、ＬＥＤ３に流れる直流電流が制御される。ＭＯＳＦＥＴ４１がオンすると、整流装置２により生成された直流電流が、ＬＥＤ３、インダクタ４４、ＭＯＳＦＥＴ４１および抵抗器４５の順に流れる。次に、ＭＯＳＦＥＴ４１がオフすると、直流電流は、ＬＥＤ３、インダクタ４４、ダイオード４３を流れる。この直流電流は、時間の経過と共に減衰し、ＭＯＳＦＥＴ４１のオフ状態が継続すると、ＬＥＤ３に電流は流れなくなる。
【００１６】
自動消灯装置５は、自動消灯制御リレー（停止時間検出手段）５１を有している。自動消灯制御リレー５１は、常開接点５２と、タイマー（図示せず）とを有している。常開接点５２は、一端部がＧＮＤに接続され、他端部がドライバＩＣ４２に接続されている。エレベーターが停止中に、かご操作盤（図示せず）の呼び釦が操作されず、各階の乗場（図示せず）の呼び釦が操作されないと、自動消灯制御リレー５１のタイマーがカウントを開始する。タイマーによるカウントの開始から所定の時間が経過すると自動消灯制御リレー５１が動作し、常開接点５２が閉成する。
【００１７】
図２は図１のＰＷＭスイッチング方式インバータ装置４を示す構成図である。図において、ドライバＩＣ４２は、ＭＯＳＦＥＴ４１にパルス状の制御信号を送ることによりＭＯＳＦＥＴ４１のオンオフを制御する制御装置本体４２１と、整流装置２（図１）により生成された直流電流から所定の電圧を発生させるレギュレータ４２２と、一端部がレギュレータ４２２に接続された抵抗器４２３と、抵抗器４２３の他端部に接続され抵抗器４２３を介してレギュレータ４２２の電圧が入力され、かつ、抵抗器４５のＭＯＳＦＥＴ４１側の端部の電圧が入力されるコンパレータ４２４と、自動消灯制御リレー５１から信号が入力される入力信号端子４２６とを有している。入力信号端子４２６は、常開接点５２を介してＧＮＤに接続されている。入力信号端子４２６は、ドライバＩＣ４２の中で、抵抗器４２３の他端部と、この抵抗器４２３の他端部に接続されたコンパレータ４２４の端子とに接続されている。常開接点５２が閉成すると、入力信号端子４２６がＧＮＤに短絡される。
【００１８】
コンパレータ４２４は、レギュレータ４２２の電圧値と抵抗器４５のＭＯＳＦＥＴ４１側の端部の電圧値とを比較する。つまり、コンパレータ４２４は、レギュレータ４２２により発生する所定の電圧値と抵抗器４５の端子間の電圧値とを比較する。コンパレータ４２４は、抵抗器４５の端子間の電圧値がレギュレータ４２２により発生する所定の電圧値に達する場合に、制御装置本体４２１に対して、ＭＯＳＦＥＴ４１をオフにする信号を送る。抵抗器４５の端子間の電圧値は、抵抗器４５を流れる電流値、つまり、ＬＥＤ３に流れる電流値に対応して増減する。したがって、抵抗器４５の端子間の電圧値がレギュレータ４２２により発生する所定の電圧値よりも大きくなることが防がれることにより、ＬＥＤ３に流れる電流値が所定値になるように制御される。
【００１９】
エレベーターが所定の時間連続して停止していると、自動消灯制御リレー５１が動作し、常開接点５２が閉成する。常開接点５２が閉成すると、ドライバＩＣ４２の入力信号端子４２６がＧＮＤに短絡され、ＧＮＤの電圧がコンパレータ４２４に入力される。この場合、コンパレータ４２４および制御装置本体４２１は、抵抗器４５の端子間電圧がゼロとなるように動作し、ＬＥＤ３に電流が流れなくなり、かご内照明が消灯する。
【００２０】
次に、エレベーターかご内照明装置の自動消灯の動作について説明する。まず、図１に示すように、整流装置２は、交流電源１から入力される交流電流を整流して直流電流を生成する（整流工程）。整流工程により生成された直流電流は、電解コンデンサ２３により平滑化される（平滑工程）。その後、エレベーターが起動していると、ＰＷＭスイッチング方式インバータ装置４は、整流工程により生成され、平滑工程で平滑化された直流電流をＬＥＤ３に供給する（直流電流供給工程）。その結果、エレベーターかご内照明が点灯する。
【００２１】
その後、エレベーターが停止し、かご操作盤の呼び釦が操作されず、各階の乗場の呼び釦が操作されないと、自動消灯制御リレー５１のタイマーがカウントを開始する。タイマーのカウントが開始されてから所定の時間が経過すると、自動消灯制御リレー５１は、エレベーターが所定の時間連続して停止していることを検出し（停止時間検出工程）、自動消灯制御リレー５１が動作して、常開接点５２が閉成する。常開接点５２が閉成すると、ドライバＩＣ４２の入力信号端子４２６がＧＮＤに短絡され、ＧＮＤの電圧がコンパレータ４２４（図２）に入力される。その結果、コンパレータ４２４および制御装置本体４２１は、抵抗器４５の端子間電圧がゼロとなるように動作し、ＬＥＤ３に電流が流れなくなり（直流電流供給停止工程）、エレベーターかご内照明が消灯する。
【００２２】
その後、例えば、乗場の呼び釦が操作されると、自動消灯制御リレー５１が消勢し、常開接点５２が開放される。常開接点５２が開放されると、ドライバＩＣ４２の入力信号端子４２６がＧＮＤから切り離され、レギュレータ４２２の電圧が抵抗器４２３を通してコンパレータ４２４に入力される。これにより、コンパレータ４２４は、レギュレータ４２２の電圧と抵抗器４５の電圧を比較して生成した出力信号を、制御装置本体４２１に送る。制御装置本体４２１は、コンパレータ４２４の出力信号を基にＭＯＳＦＥＴ４１のオンオフ信号を生成し、ＭＯＳＦＥＴ４１に送る。これにより、ＭＯＳＦＥＴ４１がオンオフを繰り返し、ＬＥＤ３へ直流電流の供給が開始され（直流電流供給工程）、エレベーターかご内照明装置が点灯する。以上により、エレベーターかご内照明装置の自動消灯の動作が終了する。
【００２３】
以上説明したように、この発明の実施の形態１に係るエレベーターかご内照明装置によれば、交流電源１から入力される交流電流を整流する全波ブリッジ整流回路２１と、全波ブリッジ整流回路２１の出力端子間に接続される電解コンデンサ２３と、全波ブリッジ整流回路２１により生成された直流電流が供給されることにより、エレベーターのかご内を照明するＬＥＤ３と、ＬＥＤ３に供給される直流電流を導通遮断するＭＯＳＦＥＴ４１と、ＭＯＳＦＥＴ４１のオンオフを制御するドライバＩＣ４２と、エレベーターが所定の時間連続して停止していることを検出する自動消灯制御リレー５１とを備え、ドライバＩＣ４２は、自動消灯制御リレー５１の検出結果に基づいて、抵抗器４５の端子間電圧がゼロとなるように動作し、ＬＥＤ３への直流電流の供給を停止させるので、全波ブリッジ整流回路２１の出力端子間に接続される電解コンデンサ２３は、ＬＥＤ３の状態が点灯状態であるか消灯状態であるかに関わり無く、電圧が印加された状態となる。これにより、ＬＥＤ３の状態が消灯状態から点灯状態に切り替わるときに、突入電流が電解コンデンサ２３に流れることを防止することができる。その結果、自動消灯制御リレー５１が検出するための所定の時間を短縮し、自動消灯する回数を増やしても、電解コンデンサ２３が劣化する虞がないので、エレベーターが停止していることを自動消灯制御リレー５１が検出するための所定の時間を短縮することができ、エレベーターが停止してからエレベーターかご内照明が自動消灯するまでの時間を短くして点灯時間を短縮し、省エネルギー効果を高めることができる。
【００２４】
また、この発明の実施の形態１に係るエレベーターかご内照明方法によれば、交流電源１から入力される交流電流を整流する整流工程と、整流工程により生成された直流電流を、電解コンデンサ２３を用いて平滑化する平滑工程と、平滑工程により平滑化された直流電流を、エレベーターのかご内を照明するＬＥＤ３に供給する直流電流供給工程と、エレベーターが所定の時間連続して停止していることを検出する停止時間検出工程と、停止時間検出工程の検出結果に基づいて、ＬＥＤ３に供給される直流電流を導通遮断するＭＯＳＦＥＴ４１をオンオフにすることにより、直流電流がゼロとなるように動作する直流電流供給停止工程とを備えているので、直流電流を平滑化する電解コンデンサ２３は、ＬＥＤ３の状態が点灯状態であるか消灯状態であるかに関わりなく、電圧が印加された状態となる。これにより、ＬＥＤ３の状態が消灯状態から点灯状態に切り替わるときに、突入電流が電解コンデンサ２３に流れることを防止することができる。その結果、自動消灯制御リレー５１が検出するための所定の時間を短縮し、自動消灯する回数を増やしても、電解コンデンサ２３が劣化する虞がないので、エレベーターが停止してからエレベーターかご内照明が自動消灯するまでの時間を短くして点灯時間を短縮し、省エネルギー効果を高めることができる。
【００２５】
なお、上記実施の形態１では、入力信号端子４２６がＧＮＤに短絡されることにより、ＭＯＳＦＥＴ４１をオフにするドライバＩＣ４２の構成について説明したが、これに限らず、入力信号端子４２６にゼロ電圧が入力されることにより抵抗器４５の端子間電圧がゼロとなるように動作するドライバＩＣ４２の構成であればよい。
【００２６】
実施の形態２．
図３はこの発明の実施の形態２に係るエレベーターかご内照明装置のＰＷＭスイッチング方式インバータ装置４を示す構成図である。図において、ドライバＩＣ４２は、制御装置本体４２１とＭＯＳＦＥＴ４１との間に直列に接続されたアンド回路４２５をさらに有している。自動消灯リレー５１の常開接点５２は、実施の形態１に係るエレベーターかご内照明装置と異なり、ドライバＩＣ４２の中で、アンド回路４２５の入力に接続されている。つまり、アンド回路４２５には、制御装置本体４２１からの制御信号と、自動消灯制御リレー５１からの信号とが入力される。エレベーターが所定の時間連続して停止していると、自動消灯制御リレー５１が動作し、常開接点５２が閉成する。常開接点５２が閉成すると、入力信号端子４２６がＧＮＤに短絡される。これにより、ＧＮＤの電圧がアンド回路４２５に入力される。この場合、アンド回路４２５は、制御装置本体４２１から受ける制御信号に関係なく、制御装置本体４２１からＭＯＳＦＥＴ４１への出力を遮断する。その他の構成は、実施の形態１と同様である。
【００２７】
以上説明したように、この発明の実施の形態２に係るエレベーターかご内照明装置によれば、ドライバＩＣ４２は、自動消灯制御リレー５１の検出結果に基づいて、ＭＯＳＦＥＴ４１をオフにしてＬＥＤ３への直流電流の供給を停止させるので、全波ブリッジ整流回路２１の出力端子間に接続される電解コンデンサ２３は、ＬＥＤ３の状態が点灯状態であるか消灯状態であるかに関わり無く、電圧が印加された状態となる。これにより、ＬＥＤ３の状態が消灯状態から点灯状態に切り替わるときに、突入電流が電解コンデンサ２３に流れることを防止することができる。その結果、自動消灯制御リレー５１が検出するための所定の時間を短縮し、自動消灯する回数を増やしても、電解コンデンサ２３が劣化する虞がないので、エレベーターが停止してからエレベーターかご内照明装置が自動消灯するまでの時間を短くして点灯時間を短縮し、省エネルギー効果を高めることができる。
【００２８】
なお、上記実施の形態２では、入力信号端子４２６がＧＮＤに短絡されることにより、ＭＯＳＦＥＴ４１への出力が遮断されて、ＭＯＳＦＥＴ４１がオフとなるドライバＩＣ４２の構成について説明したが、これに限らず、ＭＯＳＦＥＴ４１への出力を遮断するための信号が入力信号端子４２６に入力されることにより、ＭＯＳＦＥＴ４１への出力が遮断されて、ＭＯＳＦＥＴ４１がオフとなるドライバＩＣ４２の構成であればよい。
【００２９】
また、各上記実施の形態では、かごに新規に取り付けられるエレベーターかご内照明装置について説明したが、かごに既設された蛍光灯照明装置をかご取り外して、蛍光灯照明装置が取り付けられていたかごの部分に取り付けられるエレベーターかご内照明装置であってもよい。
【符号の説明】
【００３０】
１  交流電源、２  整流装置、３  ＬＥＤ、４  ＰＷＭスイッチング方式インバータ装置、５  自動消灯装置、２１  全波ブリッジ整流回路（整流回路）、２２  抵抗器、２３  電解コンデンサ、４１  ＭＯＳＦＥＴ（スイッチング素子）、４２  ドライバＩＣ（制御装置）、４３  ダイオード、４４  インダクタ、４５  抵抗器、５１  自動消灯制御リレー（停止時間検出手段）、５２  常開接点、４２１  制御装置本体、４２２  レギュレータ、４２３  抵抗器、４２４  コンパレータ、４２５  アンド回路、４２６  入力信号端子。
【図１】
0005971641.tif 000002
【図２】
0005971641.tif 000003
【図３】
0005971641.tif 000004